(57)【要約】【課題】製作コストを極力安くできるボンベ用帽蓋を提供すること。【解決手段】頂部に回転操作用多角部３を設けた帽蓋本体２の下端部内周面に雌ねじ部４を形成し、この雌ねじ部４をボンベ５の首部６外周面に形成された雄ねじ部７に螺嵌し、帽蓋本体２をボンベ５の首部６に取り付けるようになっているボンベ用帽蓋１であって、金属管材２Ｍの上端部を絞るか又は金属板材を管状に加工してその上端部を絞ることにより形成するか、又は金属板材を筒状に深絞りすることによって帽蓋本体２を形成し、この帽蓋本体２の上端部２ａに金属製の多角部材３Ｍを固着して回転操作用多角部３を形成してなる。【選択図】図２
0003127354.tif 000002
【実用新案登録請求の範囲】
【請求項１】
頂部に回転操作用多角部を設けた帽蓋本体の下端部内周面に雌ねじ部を形成し、この雌ねじ部をボンベの首部外周面に形成された雄ねじ部に螺嵌して、帽蓋本体をボンベの首部に取り付けるようになっているボンベ用帽蓋であって、
金属管材の上端部を絞るか又は金属板材を管状に加工してその上端部を絞ることにより形成するか、又は金属板材を筒状に深絞りすることによって帽蓋本体を形成し、この帽蓋本体の上端部に金属製の多角部材を固着して回転操作用多角部を形成してなることを特徴とするボンベ用帽蓋。
【請求項２】
回転操作用多角部を形成する金属製多角部材は、カシメ加工によって帽蓋本体の上端部に固着してなることを特徴とする請求項１に記載のボンベ用帽蓋。
【考案の詳細な説明】
【技術分野】
【０００１】
本考案は、酸素、窒素などの圧縮ガスや、プロパン、エチレン、炭酸ガスなどの液化ガスが充填される高圧ガスボンベを運搬中や作業中に安全に取り扱いできるように保護するためのボンベ用帽蓋（保護キャップ）に関するもので、特に本考案は、頂部に回転操作用多角部を設けた帽蓋本体の下端部内周面に雌ねじ部を形成し、この雌ねじ部をボンベの首部外周面に形成された雄ねじに螺嵌して、帽蓋本体をボンベの首部に取り付けるようになっているボンベ用帽蓋に関する。
【背景技術】
【０００２】
従来この種のボンベ用帽蓋として、特許公報等を具体的に挙げることはできないが、図３に従来使用されているボンベ用帽蓋を示し、(a) は従来の帽蓋１１の縦断面図、(b) は平面図である。この帽蓋１１は鋳造によって一体に形成された鋳物で、帽蓋本体１２は、上端部が略々半球状に形成されていると共に、その頂部には回転操作用多角部１３が形成され、また帽蓋本体の下端部内周面には、ボンベ５の首部６の外周面に形成されている雄ねじ部７に螺合する雌ねじ部１４が形成されている。また、帽蓋１１の所要部には窓１５が開口形成されている。
【考案の開示】
【考案が解決しようとする課題】
【０００３】
従来の帽蓋１１は、上記のように、鋳造によって形成されるため、鋳型の製作費が高くつくと共に、製品の歩留りが悪く、コストが非常に高くつくという問題があった。
【０００４】
本考案は、上記の課題に鑑み、コストを極力安くできるボンベ用帽蓋を提供することを目的とする。
【課題を解決するための手段】
【０００５】
上記課題を解決するための手段を、後述する実施形態の参照符号を付して説明すると、請求項１に係る考案は、頂部に回転操作用多角部３を設けた帽蓋本体２の下端部内周面に雌ねじ部４を形成し、この雌ねじ部４をボンベ５の首部６外周面に形成された雄ねじ部７に螺嵌して、帽蓋本体２をボンベ５の首部６に取り付けるようになっているボンベ用帽蓋１であって、
金属管材２Ｍの上端部を絞るか又は金属板材を管状に加工してその上端部を絞ることにより形成するか、又は金属板材を筒状に深絞りすることによって帽蓋本体２を形成し、この帽蓋本体２の上端部２ａに金属製の多角部材３Ｍを固着して回転操作用多角部３を形成してなることことを特徴とする。
【０００６】
請求項２は、請求項１に記載のボンベ用帽蓋において、回転操作用多角部３を形成する金属製多角部材３Ｍは、カシメ加工によって帽蓋本体２の上端部２ａに固着してなることを特徴とする。
【考案の効果】
【０００７】
上記解決手段による考案の効果を、後述する実施形態の参照符号を付して説明すると、請求項１に係る考案のボンベ用帽蓋によれば、金属管材２Ｍの上端部を絞るか又は金属板材を管状に加工してその上端部を絞ることにより形成するか又は金属板材を筒状に深絞りすることによって帽蓋本体２を形成すると共に、この帽蓋本体２の上端部２ａに鉄等金属製の多角部材３Ｍを固着して回転操作用多角部３を形成したものであって、帽蓋本体２をプレス加工により形成するから、従来の鋳造物からなるボンベ用帽蓋１１に比べると、製作費が非常に安くなり、製品コストの低廉化を図ることができる。
【０００８】
請求項２に係る考案に記載のように、回転操作用多角部３を形成する金属製多角部材３Ｍを、カシメ加工によって帽蓋本体２の上端絞り口２ａに固着すれば、その固着作業を簡単且つ的確に行なうことができる。
【考案を実施するための最良の形態】
【０００９】
以下に本考案の実施形態について図面を参照して説明すると、図１の(a) は本考案に係るボンベ用帽蓋１を示すもので、その左半分は正面図、右半分は縦断面図であり、(b) は帽蓋１の平面図である。この帽蓋１は帽蓋本体２からなるもので、この帽蓋本体２は、金属管材、例えば鉄製の管材２Ｍを所定長さに切断したものをプレス加工して、その上端部側を所定径まで絞り込み、また下端部も若干絞ることにより形成される。
【００１０】
そして、この帽蓋本体２の上端部である絞り口２ａには、帽蓋本体２と同じ鉄製の六角ナット状多角部材３Ｍを固着して回転操作用多角部３を形成し、また帽蓋本体２の下端部内周面には、ボンベ５の首部６の外周面に形成された雄ねじ部７に螺合する雌ねじ部４を形成する。
【００１１】
また、帽蓋本体２の上端絞り口２ａに鉄製の多角部材３Ｍを固着するには、溶接でもよいが、好ましくはカシメ加工が良い。即ち、鉄製多角部材３Ｍを、カシメ装置を使用して帽蓋本体の上端絞り口２ａにカシメ加工することにより、その固着作業を簡単にして且つ的確に行なうことができる。図１の(a) には、カシメ部分をＫで示す。また帽蓋本体２の下端部側絞り部を２ｂで示している。この下端部側絞り部２ｂの内周面に雌ねじ部４が形成される。
【００１２】
また、帽蓋本体２の所要部には、ボンベ５の首部６に取り付けられたバルブを確認するための窓８が設けられる。
【００１３】
図２は上記のような構成よりなるボンベ用帽蓋１の使用状態を示す。ボンベ５の首部６にはその口部６ｏに口金９が取り付けられ、この口金９には開閉バルブ１６及び圧力調整バルブ１７が設けられており、帽蓋１は、口金９に設けられた開閉バルブ１６及び圧力調整バルブ１７を保護するようになっている。
【００１４】
この帽蓋１は、図２に示すように、帽蓋本体２の下端部内周面の雌ねじ４をボンベ５の首部６の雄ねじ部７に螺嵌することにより、首部６に簡単に取り付けることができる。
【００１５】
上記したようなボンベ用帽蓋１では、帽蓋本体２を、所定長さの鉄等の金属管材２Ｍをプレス加工して、その上端部側を絞ることによって形成すると共に、この帽蓋本体２の上端絞り口２ａに鉄等金属製の多角部材３Ｍを固着して回転操作用多角部３を形成したものであって、帽蓋本体２の材料として鉄等金属管材２Ｍである市販品を使用できると共に、帽蓋本体２をプレス加工により形成するから、図３の(a) ，(b) に示すような鋳造物からなる従来のボンベ用帽蓋１１に比べると、製作費が非常に安くなり、製品コストの著しい低廉化を図ることができる。
【００１６】
以上説明した実施形態では、鉄等の金属管材２Ｍをプレス加工してその上端部側を絞ることにより帽蓋本体２を形成しているが、この帽蓋本体２は、金属板材を管状に加工してその上端部を絞るか、あるいは金属板材を筒状に深絞して形成することができる。
【００１７】
金属板材を管状に加工する場合は、方形状の鉄板等金属板をその両端縁が突き合わさるように管状にプレス成形し、その突き合わせ端縁部を溶接により接合して管状とし、この管状体の上端部を絞ることによって帽蓋本体２を形成し、この帽蓋本体２の上端部２ａに多角部材を固着する。
【００１８】
また、深絞りによる場合は、鉄板等の金属板を切断して所定径の円板状と成し、この円板材を深絞り加工して有底円筒状体を形成し、この有底円筒状体の底部を上端側として、この底部に孔を明けることによって帽蓋本体２を形成し、この帽蓋本体２の上端側孔部に多角部材を固着すればよい。この深絞りの場合には、上記円板材を深絞り加工して有底円筒状に形成した後、その底部を更に絞り加工して多角部材を一体に形成することもできるが、底部を更に絞ると底部が破損したり底部に亀裂が生じるので、本考案の帽蓋１には、この方法は採用しない。
【図面の簡単な説明】
【００１９】
【図１】(a) は本考案に係るボンベ用帽蓋を示すもので、その左半分は正面図、右半分は縦断面図であり、(b) は帽蓋の平面図である。
【図２】本考案に係るボンベ用帽蓋の使用状態を示すもので、その左半分は正面図、右半分は縦断面図である。
【図３】(a) は従来のボンベ用帽蓋を示す縦断面図、(b) は同ボンベ用帽蓋の平面図である。
【符号の説明】
【００２０】
１            ボンベ用帽蓋
２            帽蓋本体
２ａ          帽蓋本体の上端絞り口
３            回転操作用多角部
４            帽蓋本体の雌ねじ部
５            ボンベ
６            首部
７            首部の雄ねじ部
【図１】
0003127354.tif 000003
【図２】
0003127354.tif 000004
【図３】
0003127354.tif 000005